【手続補正書】
【提出日】平成20年6月9日(2008.6.9)
【手続補正１】
【補正対象書類名】明細書
【補正対象項目名】特許請求の範囲
【補正方法】変更
【補正の内容】
【特許請求の範囲】
【請求項１】 監視システム（１０）のインタフェース装置（１６）において、複数のセンサ（１８）を使用してインタフェース装置（１６）により収集されるデータを通信ネットワーク（２０）を介して送信するために、前記インタフェース装置（１６）を前記通信ネットワーク（２０）に接続する通信インタフェース（６６）と、
マイクロプロセッサ（６８）、及び
前記マイクロプロセッサ（６８）に結合され、前記インタフェース装置（１６）に周辺動作モードと、独立動作モードとを提供するようにプログラムされたプログラムメモリ（７０）とを具備し、
周辺動作モードでは、前記インタフェース装置（１６）は複数のモニタ（１２、２６）のうちの１つのモニタ（１２）に対して周辺装置として動作し、（ｉ）前記インタフェース装置（１６）は前記センサにより収集されるデータを前記複数のモニタ（１２、２６）のうちの１つのモニタ（１２）へ送信し、（ｉｉ）データは前記複数のモニタのうちの前記１つのモニタ（１２）を介してのみ前記複数のモニタのうちの残りのモニタ（２６）によりアクセス可能であり、
独立動作モードでは、（ｉ）前記インタフェース装置（１６）は、前記センサ（１８）からのデータを前記通信ネットワーク（２０）を介して前記複数のモニタ（１２、２６）のうちの１以上のモニタへ送信する独立型装置として動作し、（ｉｉ）データは（ａ）前記複数のモニタ（１２、２６）のうちの前記１以上のモニタのそれぞれの表示装置（３４）により表示され、又は（ｂ）前記複数のモニタ（１２、２６）のうちの前記１以上のモニタに格納されるインタフェース装置。
【請求項２】 前記インタフェース装置（１６）により送信されるデータは患者（２９）の生理学的状態に関連する生理学的データである請求項１記載のインタフェース装置（１６）。
【請求項３】 複数の入力ポート（６０）を含み、前記複数の入力ポートは、前記複数のセンサ（１８）により患者から取得されたデータを受けるように、前記複数のセンサ（１８）に結合される請求項１または２に記載のインタフェース装置（１６）。
【請求項４】 通信ネットワーク（２０）と、
試験すべきシステム（２９）からデータを収集することが可能である複数のセンサ（１８）と、
前記複数のセンサに結合されて、試験すべきシステムからデータを受信し、且つ前記通信ネットワーク（２０）に結合されている請求項１乃至３のいずれかに記載のインタフェース装置（１６）と、
各々が前記通信ネットワーク（２０）に結合されている複数のモニタ（１２、２６）とを具備する監視システム（１０）。
【請求項５】 独立動作モードでは、前記インタフェース装置（１６）は前記複数のモニタ（１２、２６）の各々へデータを送信するために利用可能であり、前記複数のモニタ（１２、２６）は、前記センサにより収集されるデータを前記通信ネットワーク（２０）を介して前記インタフェース装置（１６）から直接に受信するようにそれぞれ構成可能である請求項４記載の監視システム。
【請求項６】 周辺動作モードでは、前記インタフェース装置（１６）と前記複数のモニタ（１２、２６）のうちの前記選択された１つのモニタ（１２）との間に別個の物理的接続を成立させ、それにより、前記インタフェース装置（１６）が前記複数のモニタのうちの前記選択された１つのモニタ（１２）に対して周辺装置として動作しているという目視標示を提供する識別リンク（２５）を更に具備する請求項４記載の監視システム。
【請求項７】 前記識別リンク（２５）は専用通信リンクであり、前記監視システムは複数の追加インタフェース装置（２８）を更に具備し、前記インタフェース装置（１６）と前記複数のモニタのうちの前記選択された１つのモニタ（１２）とは、前記複数のモニタ（１２、２６）のうちの前記選択された１つのモニタ（１２）に対して周辺装置として動作している前記インタフェース装置（１６）のアイデンティティを検証するために、前記専用通信リンク（２５）を介して通信する請求項６記載の監視システム。
【請求項８】 前記インタフェース装置（１６）は、前記複数のモニタ（１２、２６）のうちの前記選択された１つのモニタ（１２）からの、周辺動作モードに入ることを求める要求を受信することに応答して独立動作モードから周辺動作モードに切り替わる請求項４記載の監視システム。
【請求項９】 前記インタフェース装置（１６）は、前記複数のモニタ（１２、２６）のうちの前記選択された１つのモニタ（１２）で受信されるオペレータ入力に応答して独立動作モードから周辺動作モードに切り替わる請求項４記載の監視システム。
【請求項１０】 前記監視システム（１０）は患者監視システムであり、試験すべきシステム（２９）は患者であり、且つ患者から収集されるデータは生理学的データである請求項４記載の監視システム。
【請求項１１】 前記センサ（１８）は心電図センサ、パルス酸素測定センサ、血圧センサ、二酸化炭素センサ、心臓出力センサ、インピーダンスカージオグラフィセンサ及び脳波測定センサのうちの１つである請求項１０記載の監視システム。
【請求項１２】 前記患者監視システム（１０）は保健医療施設に配置されている請求項１０記載の監視システム。
【請求項１３】 前記インタフェース装置（１６）は、そのインタフェース装置（１６）が関連しているユニット名及びベッド番号のうちの少なくとも一方を識別する情報を格納し、前記インタフェース装置（１６）はユニット名及びベッド番号のうちの少なくとも一方を前記複数のモニタ（１２、２６）のうちの前記選択された１つのモニタ（１２）へ送信する請求項１０記載の監視システム。
【請求項１４】 前記複数のセンサの１つは、試験すべきシステムからデータを収集することが可能である第１の複数のセンサ（１８）であり、前記監視システムは、試験すべきシステム（２９）からデータを収集することが可能である第２の複数のセンサ（１４）を更に具備し、前記インタフェース装置（１６）は、前記第１の複数のセンサ（１８）から前記インタフェース装置（１６）でデータを受信するために前記複数のセンサ（１８）のうちのそれぞれ対応するセンサに結合された第１の複数の入力ポート（６０）を含み、前記複数のモニタ（１２、２６）のうちの前記選択された１つのモニタ（１２）は、前記第２の複数のセンサ（１４）から前記複数のモニタ（１２、２６）のうちの前記選択された１つのモニタ（１２）でデータを受信するために前記第２の複数のセンサ（１４）のうちのそれぞれ対応するセンサに結合された第２の複数の入力ポート（３０）を含む請求項４記載の監視システム。
【請求項１５】 試験すべきシステム（２９）から第１のデータのセットを収集する複数の第１のセンサ（１８）と、試験すべきシステム（２９）から第２のデータのセットを収集する複数の第２のセンサ（１４）と、第１のデータのセット及び第２のデータのセットを表示する前記複数のモニタ（１２）と、第１のデータのセットを受信し且つ第１のデータのセットを前記通信ネットワーク（２０）を介して受信する前記インタフェース装置（１６）とを具備し、前記周辺動作モードでは、前記インタフェース装置（１６）は第１のデータのセットを前記モニタ（１２）へのみ送信し、前記独立動作モードでは、前記インタフェース装置は、第１のデータのセットを表示することが可能である複数の装置（２６）により受信されるように第１のデータのセットを前記通信ネットワーク（２０）を介して一斉送信する請求項４記載の監視システム（１０）。
【請求項１６】 通信ネットワーク（２０）と、
試験すべき複数のシステム（２９）からデータを収集することが可能である複数のセンサ（１８）と、
表示装置（３４）を有し、且つ前記通信ネットワーク（２０）に結合されている複数のモニタ（１２）と、
試験すべきシステム（２９）からデータを受信するために前記複数のセンサ（１８）のうちの対応するセンサに結合され、且つ前記通信ネットワーク（２０）に結合されている複数のインタフェース装置（１６、２８）であって、そのうちの選択された１つのインタフェース装置（１６）は前記モニタ（１２）に対して周辺装置として動作する請求項１記載のインタフェース装置と、
前記モニタ（１２）と前記複数のインタフェース装置（１６、２８）のうちの前記選択された１つのインタフェース装置（１６）との間に別個の物理的接続を成立させ、それにより、前記複数のインタフェース装置（１６、２８）のうちのどのインタフェース装置（１６）が前記モニタ（１２）に対して周辺装置として動作しているかを指示する目視標示を提供する識別リンクとを具備する監視システム（１０）。
【請求項１７】 前記識別リンクは専用通信リンク（２５）である請求項１６記載の監視システム。
【請求項１８】 前記インタフェース装置（１６）及び前記モニタ（１２）は、前記インタフェース装置（１６、２８）のうちの前記選択された１つのインタフェース装置（１６）のアイデンティティを検証するために前記専用通信リンク（２５）を介して通信する請求項１７記載の監視システム。
【請求項１９】 前記インタフェース装置（１６）及び前記モニタ（１２）は前記通信ネットワーク（２０）でそれぞれＩＰアドレスを有し、前記インタフェース装置（１６、２８）及び前記モニタ（１２）は前記専用通信リンク（２５）を介してＩＰアドレス情報を交換する請求項１７記載の監視システム。
【請求項２０】 前記インタフェース装置（１６）は周辺動作モードと、独立動作モードとを有し、前記インタフェース装置（１６）は周辺動作モードでは前記モニタ（１２）に対して周辺装置として動作し、前記インタフェース装置（１６）は独立動作モードでは前記モニタ（１２）及び複数の追加モニタ（２６）へデータを送信するために利用可能である独立型装置として動作する請求項１６記載の監視システム。
【請求項２１】 前記複数のセンサ（１８）のうちの１つは心電図センサ、パルス酸素測定センサ、血圧センサ、二酸化炭素センサ、心臓出力センサ、インピーダンスカージオグラフィセンサ及び脳波測定センサのうちの１つである請求項１６記載の監視システム。
【請求項２２】 前記患者監視システム（１０）は保健医療施設に配置されている請求項２０記載の監視システム。
【請求項２３】 前記複数のインタフェース装置（１６、２８）のうちの前記選択された１つのインタフェース装置（１６）は、前記複数のインタフェース装置（１６、２８）のうちの前記選択された１つのインタフェース装置（１６）が関連しているユニット名及びベッド番号の少なくとも一方を識別する情報を格納し、前記複数のインタフェース装置（１６、２８）のうちの前記選択された１つのインタフェース装置（１６）はユニット名及びベッド番号の少なくとも一方を前記モニタ（１２）へ送信する請求項１６記載の監視システム。
【請求項２４】 保健医療施設の患者監視システムにおいて、通信ネットワーク（２０）と、患者（２９）から患者（２９）からの生理学的測定値に関連する第１のデータのセットを収集することが可能である第１の複数のセンサ（１４）と、患者（２９）から患者（２９）からの付加的な生理学的測定値に関連する第２のデータのセットを収集することが可能である第２の複数のセンサ（１８）と、各々が前記通信ネットワーク（２０）に結合され、且つ各々が対応する表示装置（３４）を含み、第１の複数の入力ポート（３０）を含む第１のモニタ（１２）を含み、前記第１のモニタ（１２）は前記第１の複数の入力ポート（３０）を介して前記第１の複数のセンサ（１４）に結合されている複数のモニタ（１２、２６）と、前記通信ネットワーク（２０）に結合され、第２の複数の入力ポート（６０）を有し、前記第２の複数の入力ポート（６０）を介して前記第２の複数のセンサ（１８）に結合されている請求項１記載のインタフェース装置（１６）とを具備する患者監視システム。
【請求項２５】 患者監視ネットワークの動作の方法において、（Ａ）インタフェース装置（１６）に接続されたセンサ（１８）を使用して患者（２９）からデータを収集する過程（９１）と、（Ｂ）前記監視ネットワークを前記インタフェース装置（１６）と共に独立動作モードで動作させる過程であって、（１）前記インタフェース装置（１６）から複数のモニタ（１２、２６）へデータを送信する過程（９４）と、（２）データを前記複数のモニタ（１２、２６）で表示する過程（９５）とを含む過程と、（Ｃ）前記インタフェース装置（１６）の動作モードを独立動作モードから周辺動作モードに切り替える過程と、（Ｄ）前記監視ネットワークを前記インタフェース装置（１６）と共に周辺動作モードで動作させる過程であって、（１）前記インタフェース装置（１６）から前記複数のモニタ（１２、２６）のうちの選択された１つのモニタ（１２）へデータを送信する過程（９２）と、（２）前記複数のモニタ（１２、２６）のうちの前記選択された１つのモニタ（１２）でデータを表示する過程（９３）とを含む過程とから成り、周辺動作モードでは、前記インタフェース装置（１６）により収集されるデータは前記複数のモニタ（１２、２６）のうちの前記選択された１つのモニタ（１２）を介してのみ前記複数のモニタ（１２、２６）のうちの残りのモニタ（２６）に対して利用可能である方法。
【請求項２６】 前記インタフェース装置（１６）から、前記インタフェース装置（１６）が周辺動作モードに入るために利用可能であることを指示するメッセージをそれぞれ一斉送信する過程を更に含む請求項２５記載の方法。
【請求項２７】 切り替える過程は、（１）前記複数のモニタ（１２、２６）のうちの前記選択された１つのモニタ（１２）から前記インタフェース装置（１６）へ排他的閲覧要求を送信する過程と、（２）前記インタフェース装置（１６）で排他的閲覧要求を受信し且つそれに応答する過程とを更に含む請求項２５記載の方法。
【請求項２８】 前記インタフェース装置（１６）は複数のインタフェース装置（１６、２８）のうちの１つであり、前記方法は、周辺動作モードで動作するために利用可能である前記複数のインタフェース装置（１６、２８）のリスト（５０）を維持する過程を更に含み、リスト（５０）は前記複数のモニタ（１２、２６）のうちの少なくともいくつかのモニタのメモリ装置に維持されている請求項２５記載の方法。
【請求項２９】 リスト（５０）をオペレータに対して表示する過程と、オペレータ選択を受信する過程とを更に含む請求項２８記載の方法。
【請求項３０】 前記インタフェース装置（１６）と前記複数のモニタ（１２、２６）のうちの前記選択された１つのモニタ（１２）とは専用通信リンク（２５）により接続され、前記方法は、前記インタフェース装置（１６）と前記複数のモニタのうちの前記選択された１つのモニタ（１２）との間で前記専用通信リンク（２５）を介して識別情報（４８、７６）を交換する過程を更に含む請求項２５記載の方法。